(57)【特許請求の範囲】
【請求項１】
四周枠と、
前記四周枠に両端が固定されて四周枠の平行する桁間にわたされ屋根上面より上方へ板状に突出して屋根上立上り部を有する横架材と、
四周枠に周辺が固定されると共に前記屋根上立上り部に沿って屋根上立上り部の両側に夫々重なる連結端部を有し屋根上立上り部で隣接する屋根板と締結される屋根板と、
屋根上立上り部に夫々重なる端部の屋根板に板面間に隙間をおいて上方からかぶせて覆う断面深溝形条材のむね板と、
前記屋根上立上り部、屋根板連結端部及びむね板を併せて拘束する締結部材と、
を有することを特徴とする屋根。
【請求項２】
前記横架材は天井板を張り付けられる下面を有する請求項１に記載の屋根。
【請求項３】
前記締結部材は屋根上立上り部、屋根板連結端部及びむね板の板面を貫通してかしめたリベットである請求項１に記載の屋根。
【発明の詳細な説明】
【０００１】
【発明の属する技術分野】
本発明は屋根に関する。特に移動建物に適する屋根に関する。
【０００２】
【発明が解決しようとする課題】
従来の技術では、製造当初は雨仕舞は可能であるがシールのみに依存した雨仕舞であるため、シールの施工が完全でなければならず工数がかかる。又、シールの耐久劣化により雨もりがするようになる。又人が屋根板の継手部分に乗ったりすると、標準ルーフ棒のたわみによりシールが破損することがあり、雨もりの原因となる。
本発明は後述する従来の技術をさらに発展させたものである。
【０００３】
本発明は屋根板と屋根板との継目における雨仕舞を完全なものとすると共にこの継目が荷重によっても尚且つ雨仕舞が充分保たれる屋根板の継目構造を有する屋根を提供することを目的とする。
【０００４】
【課題を解決するための手段】
本出願に係る第１の発明は可搬性を有する六立方体状の移動建物において、床と、前記床のコーナに立設したコーナ柱と、前記コーナ柱上部に取り付けた陸屋根と、前記各コーナ柱間に設けられた側壁パネルと、を有し、前記屋根は四周枠と、前記四周枠に両端が固定されて四周枠の平行する桁間にわたされ屋根上面より上方へ板状に突出して屋根上立上り部を有する横架材と、四周枠に周辺が固定されると共に前記屋根上立上り部に沿って屋根上立上り部の両側に夫々重なる連結端部を有し屋根上立上り部で隣接する屋根板と締結される屋根板と、屋根上立上り部に夫々重なる端部の屋根板に板面間に隙間をおいて上方からかぶせて覆う断面深溝形条材のむね板と、前記屋根上立上り部、屋根板連結端部及びむね板を併せて拘束する締結部材と、を有することを特徴とする屋根である。
【０００５】
本出願に係る第２の発明は前記横架材は天井板を張り付けられる下面を有する第１の発明に記載の屋根である。
【０００８】
本出願に係る第３の発明は前記締結部材は屋根上立上り部、屋根板連結端部及びむね板の板面を貫通してかしめたリベットである第１の発明に記載の屋根である。
【０００９】
【従来の技術】
図１１は従来のステンレス板の屋根２２の継目Ｊを示している。
【００１０】
継目Ｊの左右の屋根板２２は夫々平板であって端部が標準ルーフ棒１３ｂのウエブ上に重ねられ、標準ルーフ棒１３ｂのウエブと左右の屋根板２２の端部はリベット３３で重ねられて固定されている。標準ルーフ棒１３ｂはハット溝型鋼であってフランジ下面には天井板２３が張られて固定されている。
【００１１】
雨仕舞として重ね合せた屋根板２２の夫々の端部及びその縁、リベット３３の頭と屋根板２２間、標準ルーフ棒１３ｂと屋根板２２間には夫々シール３４が施されている。
【００１２】
【発明の実施の形態】
以下、本発明の実施の形態を図面に従って説明する。
【００１３】
移動建物は単位ブロックとして大型トラックに一棟が搭載可能となるものである。この移動建物はノックダウン式に屋根、ジョイントコーナ柱、床、側壁パネル等のユニットを運搬して現地で組立可能としたもの、及び分解組立が容易でなく単位ブロック毎のみ１棟宛運搬されるものがある。
【００１４】
上述における前者は格納空間が小さく、保管場所が小さくてよいし、数棟分のユニットが１回で運搬可能という利点がある。後者は分解組立の手間が必要ないという利点がある。
【００１５】
この実施の形態は上記前者に係るが、後者にも同様に適用される。
【００１６】
即ち、本発明は移動建物がノックダウン式、そうでない分解組立が通常行われないで建物として組立状態にかかわらず適用されるので、ここで説明の対象としているのはノックダウン式移動建物であるがノックダウンに関する説明は省略する。
【００１７】
図１乃至図５は組立状態を示し、図１は正面図、図２、図３は右及び左の側面図、図４は平面図、図５は背面図である。図示のように組立状態では１つの六立方体のブロックとなっており、これらのブロックはユニットからなっている。１は床、２は屋根、３はコーナ柱、４は出入口付パネル、５は背部パネル、６は右側パネル、７は左側パネルである。これらは分解されて夫々がそれ以上には通常分解されない１つのユニットをなすものである。
【００１８】
図６に示すようにパネル４〜７の下端にはボルト９が固定されている。方形の床１の外周枠１ａのボルト孔を挿通したボルト９にナット１２をねじ込むことによりパネル４〜７を外周枠１ａに固定し、パネル４〜７の上端は屋根の四周枠１３の下端の取付フランジ１３ａのボルト孔を挿通してブラインドリベット１４をパネル枠内に固定したブラインドナット１５にねじ込み外方へ引き寄せてある。この取付フランジ１３ａは図１０に示すようにリップ１３ａ１だけ外側に離れているがブラインドリベット１４を挿通する部分は図６に示すようにパネル７に接する位置まで凹座としてある。
【００１９】
パネル４〜７は夫々高さは同一に作られており、これらの外枠は同一構成であるから、左側パネル７により代表して図６を用いて述べる。
【００２０】
条材の竪枠、上枠、下枠を方形に組んだ外周材によりパネル枠７ａを構成し、パネル枠７ａの内外に室内の化粧板７ｂ、外壁材７ｃを固定してある。そして、化粧板７ｂと外壁材７ｃ間にグラスウールのような断熱材７ｄを充填してある。
【００２１】
屋根２はリップ付Ｚ型鋼形材２ａと該材２ａのウエブの外側に、フランジを当接させ固定したリップ付きＺ型鋼形材２ｂとからなる四周枠１３を有する。四周枠１３は方形に組まれている。
【００２２】
四周枠１３の妻桁１３Ａは図７に示すように下面は同一水平面にあるが中央部は図７の左側に示すように高さが大きくなっている。この高さを大きくするのはリップ付Ｚ型鋼形材２ｂの上側のフランジ２ｂ１の上辺の長手方向中央部を高くした山形にすることにより容易に製作可能としている。
【００２３】
図６に示すようにリップ付Ｚ型鋼形材２ａ，２ｂのリップ付Ｚ型鋼形材２ａのウエブにもう一方のリップＺ型鋼形材２ｂの上側のフランジ２ｂ１を当接し、ブラインドリベット１６によりリップ付Ｚ型鋼形材２ａ，２ｂを締結することにより四周枠１３の妻桁１３Ａを構成している。なお、妻桁１３Ａのリツプ付Ｚ型鋼形材２ａは長手方向中央部でもう１つのリップ付Ｚ型鋼形材２ｂに沿うようにわずかに折曲している。
【００２４】
四周枠１３の妻桁１３Ａに直交する枠材は妻桁１３Ａの端部（図７の右側参照）の高さと等しく、断面は妻桁１３Ａの端部と同一断面となっている。
【００２５】
図８に示すように屋根２の四周枠１３の妻桁１３Ａ間は中間部が標準ルーフ棒１３ｂ及び横架材として設けたジョイントルーフ棒２１が桁方向に交互に並列している。これらルーフ棒１３ｂ，２１は両端が夫々四周枠１３の妻桁１３Ａに溶接又はリベット等で固定されている。
【００２６】
標準ルーフ棒１３ｂはハット溝型鋼でできており、図６に示すように屋根板２２と天井板２３間に丁度納まる寸法となっており、天井板２３はルーフ棒１３ｂに固定されると共にその周辺はリップ付Ｚ型鋼形材２ａのフランジに天井回り部材１７と共に共締め固定されている。また、図９に示すように天井板２３の１つの縁はジョイントルーフ棒２１の下面に沿っており、ジョイントルーフ棒２１の下面に断面ハット溝型鋼形の止め具２４をジョイントルーフ棒２１にリベット２５で固定することにより抱え込まれて支持されている。
【００２７】
なお、天井回り部材１７の下部はパネル７の化粧板７ｂに固定されている（図６参照）。又は化粧板７ｂとパネル枠７ａにリベット７ｅで固定されている（図１０参照）。かくして、天井の全周囲の隅が天井回り部材１７で覆われている。
【００２８】
図９に示すようにジョイントルーフ棒２１はアングル鋼形断面の条材の一方のフランジを互いに合せて溶接ｗでもって溶着してあって図示のようにＴ字形となっている。互いに合せたフランジは屋根板２２よりも上方へ板状に突出して屋根上立上り部２１ａを有する。
【００２９】
屋根板２２は周辺が四周枠１３に固定されると共に屋根上立上り部２１ａの両側に夫々重なる連結端部２２ａを有し、屋根上立上り部２１ａで隣り合う屋根板２２と連結される。
【００３０】
なお、屋根板２２の四周枠１３への固定方法は図７の一部拡大図の図１０に示すように四周枠１３のリップ付Ｚ型鋼形材２ａのリップ２ａ１に巻き込んで、屋根板２２端縁でリップ付Ｚ型鋼形材２ａのリップ２ａ１を挟持し、外側からこれらを結合するようにリベット２６を施工してある。
【００３１】
屋根板２２間の空間には例えばグラスウールのような断熱材２ｃが充填されている。
【００３２】
次に屋根板２２の連結部について説明する。図８に示すように桁方向の端部を除いて１本の標準ルーフ棒１３ｂを間にして平行して四周枠１３の桁間にわたされた２本のジョイントルーフ棒２１間に１枚宛の中間の屋根板２２が配設される。この中間の屋根板２２の桁側は図１０に示す四周枠１３リップ付Ｚ型鋼形材２ａのリップ２ａ１に端部を巻き込みリベット２６で固定されている。なお、桁方向端部にくる屋根板２２は三辺がリップ２ａ１に端部を巻き込みリベット２６で固定される。そして、前者においては屋根板２２の短手方向に平行する両端部２２ａがまた後者においては一端部２２ａが夫々ジョイントルーフ棒２１の板状の屋根上立上り部２１ａに沿うように折曲して屋根上立上り部２１ａに重ねられている。
【００３３】
このジョイントルーフ棒２１の屋根上立上り部２１ａの両側には夫々隣り合う屋根板２２の端部２２ａが重なる。ここで屋根上立上り部２１ａの上端及び屋根上立上り部２１ａの両側に重ねた屋根板端部２２ａの上端は上方へ向いている。なお、本例では、屋根板端部２２ａの上端よりもジョイントルーフ棒２１の上端となる屋根上立上り部２１ａの上端は高い位置にある。これら上端は、水平方向である。この屋根上立上り部２１ａの上端側から、屋根板端部２２ａの両側面を覆うように断面深溝形のむね板２８をかぶせる。そして、むね板２８、屋根板端部２２ａ、ジョイントルーフ棒２１の屋根上立上り部２１ａの板面を貫通してリベット３１でかしめる。
【００３４】
上記において、むね板２８と屋根板端部２２ａの夫々の板面間は好ましくは密接しないようにして表面張力による雨水の吸い上げを生じないようにする。また、好ましくは屋根板２２を端部２２ａの折曲した根本部分にはむね板２８の下端がくるがこのむね板２８の下端と屋根板２２の下端間の隙間を密封するシール剤３２、例えばシリコンを施工する。
【００３５】
屋根板２２と天井板２３間には断熱材２ｃとしてグラスウールが充填されている。
【００３６】
上述のように構成されている屋根２の四周枠１３は妻桁１３Ａが正面から見て左右の中央部が高くなって中央部から左右へゆるく流れている。上記標準ルーフ棒１３ｂは妻桁１３Ａの上面側にその上面を一致するようにして前後の妻桁１３Ａにわたされ両端がこの妻桁１３Ａに夫々固定されている。そして、標準ルーフ棒１３ｂの下面に沿う面は、妻桁１３Ａの上面と同様正面から見て左右の中央部が高い。従って天井板２３は標準ルーフ棒１３ｂの下面に沿って設けられるから、正面から見て床１の外周枠１ａと根太１ｃ上に張られた水平な床板１ｂ（図６参照）上の天井高は正面中央が高く、正面から見て左右へ下っている。ジョイントルーフ棒２１の下面は天井板２３ａに接しているのでむね板２８の頂面を結ぶ面は建物正面から見て建物中央部が高く建物中央部から左右へ向って次第に低くなっている。
【００３７】
上述において四周枠１３、標準ルーフ棒１３ｂ、ジョイントルーフ棒２１、屋根板２２はステンレスが用いられている。上記移動建物は幅が２．４ｍ、長さ（桁行）が６ｍであるため、屋根板２２を１枚物で施工するにはコイル状としたステンレス板素材から大型機械を用いて切断が必要であるが本発明の実施の形態では屋根板２２は市販サイズのステンレス板を用いることができ、屋根板繋ぎの部分を上述のように横架材としてジョイントルーフ棒２１を屋根板２２の上面よりも上方へ立上げ、しかもジョイントルーフ棒２１の下端面は天井板２３を張り付けられる位置にあるので、ジョイントルーフ棒２１の材料であるアングル鋼形材の垂直方向のフランジ高さは大きくなり、横架材としてジョイントルーフ棒２１は強度、剛性を大とし且つ軽量化が可能となる。１枚宛の屋根板２２は小面積となるので平面度を保ち易い。また屋根２のジョイントルーフ棒２１の屋根上立上り部２１ａは屋根板２２の水平面から上方へ立上って、屋根端部２２ａが屋根上立上り部２１ａに重ねた上、むね板２８を屋根上立上り部２１ａ及び屋根板端部２２ａにかぶせてあるため、雨仕舞に優れる。
【００３８】
横架材としてジョイントルーフ棒２１の下面を天井板２３まであるようにしてあるのでジョイントルーフ棒２１の断面の高さには標準ルーフ棒１３ｂよりも高く剛性が大きいということは人が屋根板の継目部分にあるむね板２８上にのってもたわみが少なく、雨仕舞が損なわれることがない。仮にたわんで、ジョイントルーフ棒２１の屋根上立上り部２１ａに対する屋根板端部２２ａの板面間に上下方向のずれが生じたとしても、雨仕舞が損なわれることがない。
【００３９】
【発明の効果】
本発明は以上のとおりの構成としたため屋根板の継目部は屋根上面よりも上方にあり、横架材の屋根上立上り部の板面が垂直方向で、屋根板端部が屋根上立上り部に重ねられ同じく垂直方向であって、これらの上からむね板をかぶせて覆ってあるから、上記各部材間に許容される上下方向のずれの許容される寸法公差は大きく、仮に上下方向の荷重が加わって横架材が彎曲するような場合においても、雨仕舞が充分なされる。
【００４０】
横架材の下面を天井板まであるようにすると、横架材の高さが大きいので屋根の強度、剛性に寄与する。したがって、屋根板の継目部に人がのっても、継目部の剛性が大きいのでたわみが小さく雨仕舞を損なうおそれがない。
【００４１】
比較的小面積の屋根板端部を上方へ折曲して横架材の屋根上立上り部に重ね合せてむね板をかぶせ締結するだけであるので、屋根板の平面度を保ち易く、屋根板の加工が容易であり、屋根板の継ぎ合せ部の組み付けが容易である。
【図面の簡単な説明】
【図１】移動建物の正面図である。
【図２】図１の右側面図である。
【図３】図１の左側面図である。
【図４】図１の平面図である。
【図５】図１の背面図である。
【図６】図３のＡ−Ａ拡大断面図である。
【図７】妻桁の断面を示すための図４のＢ−Ｂ拡大断面図である。
【図８】屋根枠の部材の配置を示す平面図である。
【図９】屋根板の継目部を示す正面断面図である。
【図１０】図７の一部拡大図である。
【図１１】従来例の縦断面図である。
【符号の説明】
ｗ …溶接
１…床  １ａ…外周枠  １ｂ…床板
２…屋根  ２ａ…リップ付きＺ型鋼形材  ２ｂ…リップ付きＺ型鋼形材  ２ｂ１…フランジ  ２ｃ…断熱材
３…コーナ柱
４…出入口付パネル
５…背部パネル
６…右側パネル
７…左側パネル  ７ａ…パネル枠  ７ｂ…化粧板  ７ｃ…外壁材  ７ｄ…断熱材
８…パネル
９…ボルト
１２…ナット
１３…四周枠  １３ａ…取付フランジ  １３Ａ…妻桁  １３ｂ…標準ルーフ棒
１４…ブラインドリベット
１５…ブラインドナット
１６…リベット
１７…天井回り部材
２１…ジョイントルーフ棒  ２１ａ…屋根上立上り部
２２…屋根板  ２２ａ…端部
２３…天井板
２４…ハット溝型鋼形の止め具
２５…リベット
２６…リベット
２８…むね板
３１…リベット
３２…シール材
【図１】
0003905216.tif 000002
【図２】
0003905216.tif 000003
【図３】
0003905216.tif 000004
【図４】
0003905216.tif 000005
【図５】
0003905216.tif 000006
【図６】
0003905216.tif 000007
【図７】
0003905216.tif 000008
【図８】
0003905216.tif 000009
【図９】
0003905216.tif 000010
【図１０】
0003905216.tif 000011
【図１１】
0003905216.tif 000012